(57)【要約】【課題】手書き入力機能付き電子辞書装置において、手書きにより文字認識させてキーワード（検索文字（列））を入力表示させた場合は、キー入力操作への切り替えを要することなく、一連の辞書検索操作をタッチ入力操作に応じて行うことを可能にする。【解決手段】キー入力部のキー操作のみにて通常の辞書検索表示処理が行えるのは勿論、手書き入力部16をタッチ操作して検索文字を手書き入力し文字認識させ検索文字入力エリアa1に表示させた場合は、最終文字認識に応じて検索文字に先頭一致する見出し語が検索され見出し語一覧エリアh1に表示されるだけでなく、以後も手書き入力部16に表示されるカーソル操作ボタン16c0，16fn，16rnをタッチ操作することで前記一覧エリアh1のカーソルCを移動させた見出し語選択処理を行わせ、「決定」ボタン16Kをタッチ操作することでカーソルCにより指定された見出し語に対応する説明情報表示画面G2の表示を行わせる。【選択図】      図８
2008293408.tif 000002
【特許請求の範囲】
【請求項１】
複数の見出し語とその説明情報が対応付けられた辞書データを記憶する辞書データ記憶手段と、文字入力キーを有するキー入力部と、表示部と、表示可能な手書き入力部とを備えた手書き入力機能付き電子辞書装置であって、
前記手書き入力部により入力された手書きのデータを文字認識する文字認識手段と、
前記キー入力部により入力された文字または前記文字認識手段により認識された文字を前記表示部に表示させる入力文字表示制御手段と、
この入力文字表示制御手段により前記表示部に表示された入力文字に対応する見出し語を前記辞書データ記憶手段により記憶された辞書データに基づき検索する見出し語検索手段と、
この見出し語検索手段により検索された見出し語を前記表示部に一覧表示させる見出し語一覧表示制御手段と、
前記手書き入力部に前記一覧表示された見出し語を選択するためのマークを表示させる見出し語選択マーク表示制御手段と、
前記キー入力部からのキー入力または前記見出し語選択マーク表示制御手段により前記手書き入力部に表示されたマークのタッチ入力に応じて、前記見出し語一覧表示制御手段により前記表示部に一覧表示された見出し語の選択位置を移動させる見出し語選択制御手段と、
この見出し語選択制御手段により選択された見出し語に対応する説明情報を前記辞書データ記憶手段により記憶された辞書データから読み出して前記表示部に表示させる説明情報表示制御手段と、
を備えたことを特徴とする手書き入力機能付き電子辞書装置。
【請求項２】
さらに、前記手書き入力部に手書きのデータの入力終了とその最終文字認識の開始を指示するためのマークを表示させる認識マーク表示制御手段を備え、
前記文字認識手段は、前記認識マーク表示制御手段により前記手書き入力部に表示されたマークのタッチ入力に応じて、前記手書き入力部により入力された手書きのデータの最終の文字認識を開始する、
ことを特徴とする請求項１に記載の手書き入力機能付き電子辞書装置。
【請求項３】
さらに、
前記手書き入力部に前記説明情報表示制御手段により前記表示部に表示された説明情報のスクロールを指示するためのマークを表示させるスクロールマーク表示制御手段と、
前記キー入力部からのキー入力または前記スクロールマーク表示制御手段により前記手書き入力部に表示されたマークのタッチ入力に応じて、前記説明情報表示制御手段により前記表示部に表示された説明情報をスクロールして表示させるスクロール表示制御手段と、
を備えたことを特徴とする請求項１または請求項２に記載の手書き入力機能付き電子辞書装置。
【請求項４】
さらに、
前記手書き入力部に前記説明情報表示制御手段により前記表示部に表示された説明情報の中の任意の文字についてジャンプ辞書検索を行うモードを設定するためのマークを表示させるジャンプマーク表示制御手段と、
前記キー入力部からのキー入力または前記ジャンプマーク表示制御手段により前記手書き入力部に表示されたマークのタッチ入力に応じて、前記手書き入力部に前記説明情報表示制御手段により前記表示部に表示された説明情報の中の文字を選択するためのマークを表示させる文字選択マーク表示制御手段と、
前記キー入力部からのキー入力または前記文字選択マーク表示制御手段により前記手書き入力部に表示されたマークのタッチ入力に応じて、前記説明情報表示制御手段により前記表示部に表示された説明情報の中の文字の選択位置を移動させる文字選択制御手段と、
この文字選択制御手段により選択された文字に対応する見出し語の説明情報を前記辞書データ記憶手段により記憶された辞書データから読み出して前記表示部に表示させるジャンプ検索説明情報表示制御手段と、
を備えたことを特徴とする請求項１ないし請求項３の何れか１項に記載の手書き入力機能付き電子辞書装置。
【請求項５】
複数の見出し語とその説明情報が対応付けられた辞書データを記憶する辞書データ記憶手段と、文字入力キーを有するキー入力部と、表示部と、表示可能な手書き入力部とを備えた手書き入力機能付き電子機器のコンピュータを制御するための制御プログラムであって、
前記コンピュータを、
前記手書き入力部により入力された手書きのデータを文字認識する文字認識手段、
前記キー入力部により入力された文字または前記文字認識手段により認識された文字を前記表示部に表示させる入力文字表示制御手段、
この入力文字表示制御手段により前記表示部に表示された入力文字に対応する見出し語を前記辞書データ記憶手段により記憶された辞書データに基づき検索する見出し語検索手段、
この見出し語検索手段により検索された見出し語を前記表示部に一覧表示させる見出し語一覧表示制御手段、
前記手書き入力部に前記一覧表示された見出し語を選択するためのマークを表示させる見出し語選択マーク表示制御手段、
前記キー入力部からのキー入力または前記見出し語選択マーク表示制御手段により前記手書き入力部に表示されたマークのタッチ入力に応じて、前記見出し語一覧表示制御手段により前記表示部に一覧表示された見出し語の選択位置を移動させる見出し語選択制御手段、
この見出し語選択制御手段により選択された見出し語に対応する説明情報を前記辞書データ記憶手段により記憶された辞書データから読み出して前記表示部に表示させる説明情報表示制御手段、
として機能させるようにしたコンピュータ読み込み可能な手書き入力機能付き電子機器の制御プログラム。
【発明の詳細な説明】
【技術分野】
【０００１】
本発明は、手書き入力機能付き電子辞書装置およびその制御プログラムに関する。
【背景技術】
【０００２】
従来から、ワードプロセッサのように文字入力キーを直接キー操作して所望の文字を入力する文字入力装置と、タッチパネル式の手書き入力部を備え、この手書き入力部にてペンタッチにより入力された手書きの軌跡の文字を文字認識させて入力する手書き文字入力装置とが実用されている。
【０００３】
一方で、キー入力表示された文字（列）をキーワード（検索文字（列））としてその意味内容を辞書検索し表示させるようにした電子辞書装置が実用されている。
【０００４】
そして、前記辞書検索のためのキーワード（検索文字（列））を入力するためにキー入力部（キーボード）だけでなく手書き入力部も備え、ユーザが読めない漢字などもこの手書き入力部にてペンタッチにより手書き入力して文字認識させ、前記キーワード（検索文字（列））として入力し辞書検索表示させるようにした手書き入力機能付き電子辞書装置も考えられている（例えば、特許文献１参照。）。
【特許文献１】特開２００５−１６５５３３号公報
【発明の開示】
【発明が解決しようとする課題】
【０００５】
前記従来の手書き入力機能付き電子辞書装置では、ユーザが読めない漢字などもペンタッチにより手書き入力して文字認識させ、キーワード（検索文字（列））として表示させることができるものの、一旦手書き文字認識され表示部にキーワード（検索文字（列））として表示された後は、当該キーワードに一致する見出し語検索の開始操作をはじめ、検索された見出し語の選択操作や決定操作など、辞書検索を行うための一連の操作は、前記ペンタッチ操作からキー入力操作にその操作形態を完全に切り替えて行う必要がある。このため、手書きにより文字認識させてキーワード（検索文字（列））を入力した場合に、その辞書検索中途でのタッチペンの収納作業などが非常に面倒で煩わしい問題がある。
【０００６】
本発明は、このような課題に鑑みなされたもので、手書きにより文字認識させてキーワード（検索文字（列））を入力表示させた場合は、キー入力操作への切り替えを要することなく、一連の辞書検索操作をタッチ入力操作に応じて行うことが可能になる手書き入力機能付き電子辞書装置およびその制御プログラムを提供することを目的とする。
【課題を解決するための手段】
【０００７】
請求項１記載の発明に係る手書き入力機能付き電子辞書装置は、複数の見出し語とその説明情報が対応付けられた辞書データを記憶する辞書データ記憶手段と、文字入力キーを有するキー入力部と、表示部と、表示可能な手書き入力部とを備えた手書き入力機能付き電子辞書装置であって、前記手書き入力部により入力された手書きのデータを文字認識する文字認識手段と、前記キー入力部により入力された文字または前記文字認識手段により認識された文字を前記表示部に表示させる入力文字表示制御手段と、この入力文字表示制御手段により前記表示部に表示された入力文字に対応する見出し語を前記辞書データ記憶手段により記憶された辞書データに基づき検索する見出し語検索手段と、この見出し語検索手段により検索された見出し語を前記表示部に一覧表示させる見出し語一覧表示制御手段と、前記手書き入力部に前記一覧表示された見出し語を選択するためのマークを表示させる見出し語選択マーク表示制御手段と、前記キー入力部からのキー入力または前記見出し語選択マーク表示制御手段により前記手書き入力部に表示されたマークのタッチ入力に応じて、前記見出し語一覧表示制御手段により前記表示部に一覧表示された見出し語の選択位置を移動させる見出し語選択制御手段と、この見出し語選択制御手段により選択された見出し語に対応する説明情報を前記辞書データ記憶手段により記憶された辞書データから読み出して前記表示部に表示させる説明情報表示制御手段と、を備えたことを特徴としている。
【０００８】
請求項２記載の発明に係る手書き入力機能付き電子辞書装置は、前記請求項１記載の手書き入力機能付き電子辞書装置において、さらに、前記手書き入力部に手書きのデータの入力終了とその最終文字認識の開始を指示するためのマークを表示させる認識マーク表示制御手段を備え、前記文字認識手段は、前記認識マーク表示制御手段により前記手書き入力部に表示されたマークのタッチ入力に応じて、前記手書き入力部により入力された手書きのデータの最終の文字認識を開始する、ことを特徴としている。
【０００９】
請求項３記載の発明に係る手書き入力機能付き電子辞書装置は、前記請求項１または請求項２に記載の手書き入力機能付き電子辞書装置において、さらに、前記手書き入力部に前記説明情報表示制御手段により前記表示部に表示された説明情報のスクロールを指示するためのマークを表示させるスクロールマーク表示制御手段と、前記キー入力部からのキー入力または前記スクロールマーク表示制御手段により前記手書き入力部に表示されたマークのタッチ入力に応じて、前記説明情報表示制御手段により前記表示部に表示された説明情報をスクロールして表示させるスクロール表示制御手段と、を備えたことを特徴としている。
【００１０】
請求項４記載の発明に係る手書き入力機能付き電子辞書装置は、前記請求項１ないし請求項３の何れか１項に記載の手書き入力機能付き電子辞書装置において、さらに、前記手書き入力部に前記説明情報表示制御手段により前記表示部に表示された説明情報の中の任意の文字についてジャンプ辞書検索を行うモードを設定するためのマークを表示させるジャンプマーク表示制御手段と、前記キー入力部からのキー入力または前記ジャンプマーク表示制御手段により前記手書き入力部に表示されたマークのタッチ入力に応じて、前記手書き入力部に前記説明情報表示制御手段により前記表示部に表示された説明情報の中の文字を選択するためのマークを表示させる文字選択マーク表示制御手段と、前記キー入力部からのキー入力または前記文字選択マーク表示制御手段により前記手書き入力部に表示されたマークのタッチ入力に応じて、前記説明情報表示制御手段により前記表示部に表示された説明情報の中の文字の選択位置を移動させる文字選択制御手段と、この文字選択制御手段により選択された文字に対応する見出し語の説明情報を前記辞書データ記憶手段により記憶された辞書データから読み出して前記表示部に表示させるジャンプ検索説明情報表示制御手段と、を備えたことを特徴としている。
【００１１】
請求項５記載の発明に係る手書き入力機能付き電子機器の制御プログラムは、複数の見出し語とその説明情報が対応付けられた辞書データを記憶する辞書データ記憶手段と、文字入力キーを有するキー入力部と、表示部と、表示可能な手書き入力部とを備えた手書き入力機能付き電子機器のコンピュータを制御するための制御プログラムであって、前記コンピュータを、前記手書き入力部により入力された手書きのデータを文字認識する文字認識手段、前記キー入力部により入力された文字または前記文字認識手段により認識された文字を前記表示部に表示させる入力文字表示制御手段、この入力文字表示制御手段により前記表示部に表示された入力文字に対応する見出し語を前記辞書データ記憶手段により記憶された辞書データに基づき検索する見出し語検索手段、この見出し語検索手段により検索された見出し語を前記表示部に一覧表示させる見出し語一覧表示制御手段、前記手書き入力部に前記一覧表示された見出し語を選択するためのマークを表示させる見出し語選択マーク表示制御手段、前記キー入力部からのキー入力または前記見出し語選択マーク表示制御手段により前記手書き入力部に表示されたマークのタッチ入力に応じて、前記見出し語一覧表示制御手段により前記表示部に一覧表示された見出し語の選択位置を移動させる見出し語選択制御手段、この見出し語選択制御手段により選択された見出し語に対応する説明情報を前記辞書データ記憶手段により記憶された辞書データから読み出して前記表示部に表示させる説明情報表示制御手段、として機能させることを特徴としている。
【発明の効果】
【００１２】
本発明によれば、手書きにより文字認識させてキーワード（検索文字（列））を入力表示させた場合は、キー入力操作への切り替えを要することなく、一連の辞書検索操作をタッチ入力操作に応じて行うことが可能になる手書き入力機能付き電子辞書装置およびその制御プログラムを提供できる。
【発明を実施するための最良の形態】
【００１３】
以下図面により本発明の実施形態について説明する。
【００１４】
図１は、本発明の実施形態に係る手書き入力機能付き電子辞書装置１０の外観構成を示す正面図である。
【００１５】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、電源キー、各種文字・記号キー、辞書指定キー、訳／決定キー、削除キー、カーソルキーなどを備えたキー入力部１４、スピーカ１５Ｌ，１５Ｒ、手書き入力部１６が設けられる。
【００１６】
この手書き入力部１６は、ユーザがタッチペン１６Ｐ等でタッチした位置を検出するタッチ位置検出装置と表示装置が一体となった構造であり、例えば、キー入力部１４の中央手前側において１２８×６４ドットの液晶表示画面に透明タブレットを重ねて構成される。この手書き入力部１６の入力領域は、例えば検索文字（列）の入力モードでは（図７参照）、左右に１文字ずつ２文字分の手書き入力表示エリア１６Ｌ，１６Ｒを有すると共に、この手書き入力表示エリア１６Ｌ，１６Ｒにて入力表示された手書き文字の文字認識をユーザが指示するための“認識”との文字を表示させた「認識」ボタン１６Ｎ、文字認識された文字の訂正や削除をユーザが指示するための“訂正”との文字を表示させた「訂正」ボタン１６Ｔを有する。この手書き入力部１６の手書き入力表示エリア１６Ｌ，１６Ｒでの手書き入力に伴う軌跡はその液晶表示画面にエコーバックして表示される。
【００１７】
一方、前記手書き入力部１６の入力領域は、例えば検索文字（列）が手書き入力・認識・表示された後の辞書検索モードでは（図８〜図１０参照）、中央入力エリア１６Ｃとその右上下入力エリア１６Ｒ１，１６Ｒ２および左上下入力エリア１６Ｌ１，１６Ｌ２からなる５つの入力エリアに分割されて使用されるもので、これらの５分割された各入力エリア１６Ｃ，１６Ｒ１，１６Ｒ２，１６Ｌ１，１６Ｌ２は、それぞれその辞書検索処理の段階に応じた機能する機能名あるいは記号を表示させたボタンとして使用される。
【００１８】
この場合、前記「訂正」ボタン１６Ｔはそのまま同様に使用される一方で、前記「認識」ボタン１６Ｎは「認識／切替」ボタン１６ＮＫに表示変更されて使用される。
【００１９】
また蓋体ケース１２の表面には、そのほぼ全域に例えば４８０×３２０ドットのバックライト付き表示部（液晶表示画面）１７が設けられる。
【００２０】
なお、この電子辞書装置１０の本体ケース１１のヒンジ部１３には、前記手書き入力部１６をタッチ操作するのに良好なタッチペン１６Ｐをその長さ方向に挿抜自在に収納するペン収納部１３Ｐが形成されている。
【００２１】
図２は、前記手書き入力機能付き電子辞書装置１０の電子回路の構成を示すブロック図である。
【００２２】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００２３】
ＣＰＵ２１は、メモリ２２内に予め記憶された装置制御プログラム、あるいはＲＯＭカードなどの外部記憶媒体２３から記憶媒体読取部２４を介して前記メモリ２２に読み込まれた装置制御プログラム、あるいはインターネットＮ上のＷｅｂサーバ（この場合はプログラムサーバ）３０から電送制御部（通信部）２５を介して前記メモリ２２に読み込まれた装置制御プログラムに応じて、回路各部の動作を制御するもので、前記メモリ２２に記憶された装置制御プログラムは、キー入力部１４や手書き入力部１６からのユーザ操作に応じた入力信号、あるいは電送制御部２５を介して接続されるインターネットＮ上の各Ｗｅｂサーバ３０…との通信信号、あるいは記憶媒体読取部２４を介して外部接続されるＥＥＰＲＯＭ，ＲＡＭ，ＲＯＭなどのメモリカード（記憶媒体）２３との接続通信信号に応じて起動される。
【００２４】
前記ＣＰＵ２１には、前記メモリ２２、記憶媒体読取部２４、電送制御部２５、キー入力部１４、手書き入力部１６が接続される他に、表示部１７などが接続される。
【００２５】
メモリ２２には、当該携帯機器（電子辞書）１０の全体の動作を司るシステムプログラムや電送制御部２５を介してインターネットＮ上の各Ｗｅｂサーバ３０…や図示しないユーザＰＣ(Personal Computer)などとデータ通信するための通信プログラムが記憶される他に、辞書データ（２２ｃ）に基づく検索文字列（キーワード）の入力に応じた見出し語検索処理と指定の見出し語に対応した訳語・意味内容・例文（用例）などの各種説明情報の読み出し表示処理など、辞書データ（２２ｃ）に基づく検索処理全般をキー入力及びタッチ入力に従い制御するための辞書検索処理プログラム２２ａ、手書き入力部１６にて手書き入力表示された手書きの文字を文字認識するための文字認識処理プログラム２２ｂが記憶される。
【００２６】
また、このメモリ２２には、辞書データメモリ２２ｃ、文字認識変換候補バッファ２２ｄ、表示データメモリ２２ｅ、入力文字メモリ２２ｆ、検索文字列（キーワード）メモリ２２ｇ、ワークエリア２２ｈなどが用意される。
【００２７】
辞書データメモリ２２ｃには、「国語辞書」「英和辞書」「和英辞書」「英英辞書」「英類語辞書」などと共に、「広○辞」、「漢○源」など、種類の異なる辞書データが予め、あるいはダウンロードされて複数辞書記憶される。
【００２８】
文字認識変換候補バッファ２２ｄには、前記手書き入力部１６において入力表示された手書き文字が前記文字認識処理プログラム２２ｂに従って文字認識処理される際に、その認識変換された候補文字が例えば第１候補文字から第１０候補文字まで記憶される。
【００２９】
表示データメモリ２２ｅには、表示部１７の表示画面に対応した表示データの記憶領域と手書き入力部１６の表示画面に対応した表示データの記憶領域とを有し、それぞれその表示画面に表示すべきデータがビットマップのパターンデータとして展開記憶される。
【００３０】
入力文字メモリ２２ｆには、前記辞書検索処理プログラム２２ａに従ってキー入力部１４や手書き入力部１６によりユーザ入力された数字・文字・記号などの入力データが記憶保持される。
【００３１】
検索文字列（キーワード）メモリ２２ｇには、辞書検索処理の対象として入力あるいは指定された文字や文字列が記憶される。
【００３２】
ワークエリア２２ｈには、前記辞書検索処理プログラム２２ａや文字認識処理プログラム２２ｂなどの各種の装置制御プログラムに従いＣＰＵ２１に入出力される種々のデータが必要に応じて記憶される。
【００３３】
次に、前記構成の手書き入力機能付き電子辞書装置１０の動作について説明する。
【００３４】
図３は、前記手書き入力機能付き電子辞書装置１０の辞書検索処理（その１）を示すフローチャートである。
【００３５】
図４は、前記手書き入力機能付き電子辞書装置１０の辞書検索処理（その２）を示すフローチャートである。
【００３６】
図５は、前記手書き入力機能付き電子辞書装置１０の辞書検索処理（その３）を示すフローチャートである。
【００３７】
図６は、前記手書き入力機能付き電子辞書装置１０の辞書検索処理（その４）を示すフローチャートである。
【００３８】
図７は、前記電子辞書装置１０の辞書検索処理（その１）に従ったユーザ操作に伴う辞書検索表示動作（その１）を示す図である。
【００３９】
ここでは、手書き入力部１６を専ら使用して検索文字列（キーワード）を入力し辞書検索する場合の動作を主体として説明し、キー入力部１４を使用して検索文字列（キーワード）を入力し辞書検索する場合の動作については通常動作と同様であるためその説明を省略する。
【００４０】
辞書検索の対象とする所望の辞書を指定するために、図７（Ａ）に示すように、キー入力部１４に設けられた辞書指定キー（例えば「国語」キー）が押下され入力されると（ステップＳ１）、当該キー入力された「国語」キーに応じた辞書データ［国語］が辞書データメモリ２２ｃから読み出されて起動され、検索文字入力エリアａ１を備えた検索文字入力画面Ｇ１が表示部１７に表示される（ステップＳ２）。
【００４１】
この際、手書き入力部１６には、左右１文字ずつの手書き入力表示エリア１６Ｌ，１６Ｒおよび「訂正」ボタン１６Ｔ、「認識」ボタン１６Ｎを区分表示させた手書き文字入力用画面Ｇａが表示される（ステップＳ３）。
【００４２】
この手書き文字入力用画面Ｇａにおいて、一方の手書き入力表示エリア１６Ｌにタッチペン１６Ｐにより手書き文字（例えば「徳」）が入力されると（ステップＳ４）、当該一方の手書き入力表示エリア１６Ｌにおいて手書き入力された軌跡の文字「徳」がそのまま表示される（ステップＳ５）。
【００４３】
また、前記手書き文字入力用画面Ｇａにおいて、図７（Ｂ）に示すように、もう一方（他方）の手書き入力表示エリア１６Ｒにタッチペン１６Ｐにより手書き文字（例えば「川」）が入力されると（ステップＳ６）、当該他方の手書き入力表示エリア１６Ｒにおいて手書き入力される軌跡の文字「川」がそのまま表示される（ステップＳ７）。
【００４４】
すると、前回文字入力表示された手書き文字「徳」が文字認識され、前記検索文字入力エリアａ１に表示されると共に（ステップＳ８）、当該検索文字入力エリアａ１に表示された検索文字（列）「徳」と先頭一致する見出し語が前記指定された［国語］の辞書データ２２ｃから検索され、見出し語一覧エリアｈ１にて一覧表示される（ステップＳ９）。
【００４５】
この際、前記見出し語一覧エリアｈ１に一覧表示された見出し語は、カーソルＣにより指定表示され、このカーソルＣにより指定表示されたところの見出し語（この場合「とく［徳］」）に対応した説明情報が前記指定された［国語］の辞書データ２２ｃから検索され、説明情報プレビューエリアｈ２にてプレビュー表示される。
【００４６】
ここで、図７（Ｃ）に示すように、前記手書き文字入力用画面Ｇａの「認識」ボタン１６Ｎがタッチ入力されて手書き文字の入力終了と判断されると（ステップＳ１０（Ｙｅｓ））、前記手書き入力表示エリア１６Ｒにて入力表示された手書き文字「川」が今回最終の手書き文字として文字認識され、前記検索文字入力エリアａ１に追加表示されると共に（ステップＳ１１）、当該検索文字入力エリアａ１に表示された検索文字列「徳川」と先頭一致する見出し語が前記指定された［国語］の辞書データから検索され、見出し語一覧エリアｈ１にて一覧表示される（ステップＳ１２）。この場合も前記同様に、カーソルＣにより指定表示されたところの見出し語（この場合「とくがわ［徳川］」）に対応した説明情報が前記指定された［国語］の辞書データ２２ｃから検索され、説明情報プレビューエリアｈ２にてプレビュー表示される。
【００４７】
一方、前記ステップＳ１０において、手書き文字入力用画面Ｇａの「認識」ボタン１６Ｎがタッチ入力されることなく、さらに続けて他方の手書き入力表示エリア（この場合は１６Ｌ）に検索文字列が手書き入力表示された場合には（ステップＳ１０（Ｎｏ）→Ｓ６，Ｓ７）、前回の手書き入力文字の文字認識による検索文字入力エリアａ１への追加表示処理（ステップＳ８）、当該検索文字入力エリアａ１に表示された検索文字列と先頭一致する見出し語検索と見出し語一覧エリアｈ１への一覧表示処理（ステップＳ９）が繰り返し実行される。
【００４８】
図８は、前記電子辞書装置１０の辞書検索処理（その２）に従ったユーザ操作に伴う辞書検索表示動作（その２）を示す図である。
【００４９】
前記図７（Ｃ）で示したように、手書き入力されて認識された検索文字列「徳川」と先頭一致する見出し語が前記見出し語一覧エリアｈ１に一覧表示されると、図８（Ｄ）に示すように、手書き入力部１６の中央入力エリア１６Ｃには、前記一覧表示された見出し語をカーソルＣの移動により選択するための移動速度設定可能なカーソル操作ボタン１６c0，１６f1〜１６f3，１６r1〜１６r3が表示される（ステップＳ１３）。
【００５０】
これに伴い、同手書き入力部１６の左上入力エリア１６Ｌ１には、現在の処理ステップを元の処理ステップに戻すための「戻り」ボタン１６Ｂが表示され、また左下入力エリア１６Ｌ２には、表示部１７に表示されている各表示エリア（この場合、見出し語一覧エリアｈ１と説明情報プレビューエリアｈ２）の表示レイアウトを変更するための「レイアウト」ボタン１６Ｅが表示される。さらに、同手書き入力部１６の右上入力エリア１６Ｒ１には、カーソルＣにより選択表示された見出し語を決定するための「決定」ボタン１６Ｋが表示され、また右下入力エリア１６Ｒ２には、表示部１７に表示されている各文字データの表示文字サイズを大小変更するための「文字サイズ」ボタン１６Ｍが表示される。この際、前記「認識」ボタン１６Ｎは「認識／切替」ボタン１６ＮＫに変更されて表示される。
【００５１】
こうして、前記手書き入力部１６に、カーソル操作ボタン１６c0，１６f1〜１６f3，１６r1〜１６r3が表示された見出し語一覧エリアｈ１および説明情報プレビューエリアｈ２の表示状態で、当該カーソル操作ボタン１６c0，１６f1〜１６f3，１６r1〜１６r3の各上下マークが選択的にタッチ操作されて入力されると（ステップＳ１４（Ｙｅｓ））、入力された上下マークのカーソル操作ボタンに応じた上または下方向への速度で前記見出し語一覧エリアｈ１に表示されているカーソルＣが移動され、当該カーソルＣにより指定される見出し語が変更される（ステップＳ１５）。
【００５２】
このカーソル操作ボタン１６c0，１６f1〜１６f3，１６r1〜１６r3のタッチ操作に応じて、例えば図８（Ｄ）に示すように、カーソルＣにより所望の見出し語「とくがわ−いえやす」を指定表示させた状態で、図８（Ｅ）に示すように、手書き入力部１６に表示されている「決定」ボタン１６Ｋがタッチ操作されて入力されると（ステップＳ１６（Ｙｅｓ））、決定された見出し語「とくがわ−いえやす」に対応する説明情報が前記指定された［国語］の辞書データ２２ｃから検索され、説明情報表示画面Ｇ２として表示部１７に対し全画面表示される（ステップＳ１７）。
【００５３】
この際、手書き入力部１６の中央入力エリア１６Ｃに表示されたカーソル操作ボタン１６c0，１６f1〜１６f3，１６r1〜１６r3は、前記説明情報表示画面Ｇ２にて表示されている説明情報をスクロール表示させるために機能するもので、これに伴い同手書き入力部１６の右上入力エリア１６Ｒ１には、表示中の説明情報に基づいたジャンプ検索モードへの移行を指示するか、音声出力モードへの移行を指示するための「ジャンプ／音声」ボタン１６Ｊが表示される（ステップＳ１８）。
【００５４】
なお、前記表示部１７に説明情報表示画面Ｇ２が全画面表示されている状態で、前記手書き入力部１６における「認識／切替」ボタン１６ＮＫがタッチ操作されて入力されると、その右上入力エリア１６Ｒ１は、カーソルＣにより指定表示されたところの文字列の単語帳登録を指示するための「単語帳登録」ボタン１６Ｘに切り替え表示され、また右下入力エリア１６Ｒ２は、現在検索表示中の見出し語の用例・解説の表示を指示するための「用例・解説」ボタン１６Ｙに切り替え表示され、さらに左下入力エリア１６Ｌ２は、成句・複合語の検索を指示するための「成句・複合語」ボタン１６Ｚに切り替え表示される。
【００５５】
そして、前記表示部１７に説明情報表示画面Ｇ２が全画面表示されている状態で、図８（Ｆ）に示すように、前記手書き入力部１６におけるカーソル操作ボタン１６c0，１６f1〜１６f3，１６r1〜１６r3の各上下マークが選択的にタッチ操作されて入力されると（ステップＳ１９（Ｙｅｓ））、入力された上下マークのカーソル操作ボタンに応じた上または下方向への速度で前記説明情報表示画面Ｇ２に表示されている説明情報がスクロールされて表示される（ステップＳ２０）。
【００５６】
図９は、前記電子辞書装置１０の辞書検索処理（その３）に従ったユーザ操作に伴う辞書検索表示動作（その３）を示す図である。
【００５７】
前記図８（Ｆ）で示したように、所望の見出し語の説明情報表示画面Ｇ２がカーソル操作ボタン１６c0，１６f1〜１６f3，１６r1〜１６r3のタッチ操作に応じて任意にスクロールされて表示されている状態で、この説明情報表示画面Ｇ２からのジャンプ検索を行うために、手書き入力部１６における「ジャンプ／音声」ボタン１６Ｊがタッチ操作されて入力されると（ステップＳ２１）、図９（Ｇ）に示すように、当該説明情報表示画面Ｇ２内の先頭位置に対してジャンプ検索対象の文字列を指定するためのカーソルＣが表示される（ステップＳ２２）。
【００５８】
この際、手書き入力部１６の中央入力エリア１６Ｃに表示されたカーソル操作ボタン１６c0，１６f1〜１６f3，１６r1〜１６r3は、前記説明情報表示画面Ｇ２に表示されたカーソルＣを移動させてジャンプ検索対象の文字を指定するために機能するもので、これに伴い同手書き入力部１６の右上入力エリア１６Ｒ１には、前記カーソルＣにより指定された文字列をジャンプ検索の対象文字列として決定するための「決定」ボタン１６Ｋが表示され、また、右下入力エリア１６Ｒ２には、同ジャンプ検索対象文字列の決定と同時の訳表示（説明情報表示）を指示するための「決定＆訳表示」ボタン１６Ｋ′が表示され、さらに、左下入力エリア１６Ｌ２には、前記カーソルＣにより指定された文字列の読み上げ音声の出力を指示するための「音声」ボタン１６Ｓが表示される（ステップＳ２３）。
【００５９】
そして、図９（Ｈ）に示すように、手書き入力部１６におけるカーソル操作ボタン１６c0，１６f1〜１６f3，１６r1〜１６r3が選択的にタッチ操作されて入力されることで（ステップＳ２４）、説明情報表示画面Ｇ２内のカーソルＣが移動され、所望の文字列（例えば「武家諸法度」）の先頭位置「武」に表示された状態において（ステップＳ２５）、前記手書き入力部１６における「決定」ボタン１６Ｋがタッチ操作されて入力されると（ステップＳ２６（Ｙｅｓ））、図９（Ｉ）に示すように、ジャンプ先の辞書を選択指定するためのジャンプ先辞書指定ウインドウＷが表示される（ステップＳ２７）。
【００６０】
この際、手書き入力部１６の中央入力エリア１６Ｃに表示されたカーソル操作ボタン１６c0，１６f1〜１６f3，１６r1〜１６r3は、前記ジャンプ先辞書指定ウインドウＷに表示されたカーソルＣを移動させてジャンプ先の辞書を選択指定するために機能する（ステップＳ２８）。
【００６１】
図１０は、前記電子辞書装置１０の辞書検索処理（その４）に従ったユーザ操作に伴う辞書検索表示動作（その４）を示す図である。
【００６２】
前記ジャンプ先辞書指定ウインドウＷの表示状態で、図１０（Ｊ）に示すように、手書き入力部１６のカーソル操作ボタン１６c0，１６f1〜１６f3，１６r1〜１６r3がタッチ操作されて入力されると（ステップＳ２９）、ジャンプ先辞書指定ウインドウＷにて表示されているカーソルＣが当該カーソル操作に応じた方向と速度で移動され、ジャンプ先となる指定の辞書が変更される（ステップＳ３０）。
【００６３】
そして、前記ジャンプ先辞書指定ウインドウＷ内に表示されている任意の辞書をジャンプ先の辞書としてカーソルＣにより選択表示させた状態で、図１０（Ｋ）に示すように、手書き入力部１６の「決定」ボタン１６Ｋがタッチ操作されて入力されると（ステップＳ３１（Ｙｅｓ））、前記元の見出し語検索に伴う説明情報表示画面Ｇ２にてカーソルＣにより指定された検索対象文字「武」（図９（Ｈ）参照）に先頭一致する見出し語が、前記ステップＳ３０，Ｓ３１にて決定されたジャンプ先の辞書データ（２２ｃ）から検索され、見出し語一覧エリアｈ１にて一覧表示される（ステップＳ３２）。この場合も前記同様に、カーソルＣにより指定表示されたところの見出し語（この場合「武家諸法度」）に対応した説明情報が前記ジャンプ先の辞書データ２２ｃから検索され、説明情報プレビューエリアｈ２にてプレビュー表示される。
【００６４】
この際、手書き入力部１６の中央入力エリア１６Ｃに表示されたカーソル操作ボタン１６c0，１６f1〜１６f3，１６r1〜１６r3は、前記見出し語一覧エリアｈ１に表示されたカーソルＣを移動させて所望の見出し語を指定するために機能するもので、これに伴い同手書き入力部１６の右下入力エリア１６Ｒ２と左下入力エリア１６Ｌ２には、それぞれジャンプ先辞書を送り方向と戻り方向に変更して指定するための「辞書→」ボタン１６Ｄ１と「←辞書」ボタン１６Ｄ２が表示される（ステップＳ３３）。
【００６５】
そして、図１０（Ｌ）に示すように、手書き入力部１６の「辞書→」ボタン１６Ｄ１または「←辞書」ボタン１６Ｄ２がタッチ操作されて入力されると（ステップＳ３４（Ｙｅｓ））、当該ボタン１６Ｄ１または１６Ｄ２がタッチ操作される毎にジャンプ先の辞書が前記ジャンプ先辞書指定ウインドウＷでの辞書配列に従った送り方向または戻り方向に変更され、この変更されたジャンプ先の辞書データ（２２ｃ）から前記検索対象文字「武」（図９（Ｈ）参照）に先頭一致する見出し語が検索され、見出し語一覧エリアｈ１にて一覧表示される（ステップＳ３５）。またこれと共に、カーソルＣにより指定表示されたところの見出し語（この場合「ぶけしょはっと」）に対応した説明情報が前記変更されたジャンプ先の辞書データ２２ｃから検索され、説明情報プレビューエリアｈ２にてプレビュー表示される。
【００６６】
ここで、手書き入力部１６のカーソル操作ボタン１６c0，１６f1〜１６f3，１６r1〜１６r3が選択的にタッチ操作されて入力されると（ステップＳ３６（Ｙｅｓ））、入力されたカーソル操作ボタンに応じた上または下方向への速度で前記見出し語一覧エリアｈ１に表示されているカーソルＣが移動され、当該カーソルＣにより指定される見出し語が変更される（ステップＳ３７）。
【００６７】
このカーソル操作ボタンのタッチ操作に応じて、カーソルＣにより所望の見出し語を指定表示させた状態で、手書き入力部１６に表示されている「決定」ボタン１６Ｋがタッチ操作されて入力されると（ステップＳ３８（Ｙｅｓ））、決定された見出し語に対応する説明情報が前記ジャンプ先の辞書データ２２ｃから検索され、説明情報表示画面Ｇ２として例えば前記図８（Ｅ）で示したように表示部１７に対し全画面表示される（ステップＳ１７）。
【００６８】
したがって、前記構成の手書き入力機能付き電子辞書装置１０によれば、キー入力部１４を使用したキー操作のみに応じて通常の辞書検索表示処理が行えるのは勿論、手書き入力部１６をタッチペン１６Ｐによりタッチ操作して検索文字列を手書き入力して文字認識させ検索文字入力エリアａ１に表示させた場合には、その最終文字認識に応じて検索文字列に先頭一致する見出し語が検索され見出し語一覧エリアｈ１に表示されるだけでなく、これ以後も当該手書き入力部１６に表示されるカーソル操作ボタン１６c0，１６f1〜１６f3，１６r1〜１６r3をタッチ操作することで前記見出し語一覧エリアｈ１のカーソルＣを移動させた見出し語選択処理を行わせ、「決定」ボタン１６Ｋをタッチ操作することで前記カーソルＣにより指定された見出し語に対応する説明情報表示画面Ｇ２の表示処理を行わせることができる。
【００６９】
さらにこの後、前記手書き入力部１６のカーソル操作ボタンをタッチ操作することで前記説明情報表示画面Ｇ２上の内容スクロール処理、「ジャンプ／音声」ボタン１６Ｊをタッチ操作することで前記説明情報表示画面Ｇ２の内容に基づいたジャンプ検索モードの設定処理、同カーソル操作ボタンをタッチ操作することで前記説明情報表示画面Ｇ２内のカーソルＣを移動表示させたジャンプ検索文字の指定処理、「決定」ボタン１６Ｋをタッチ操作することでジャンプ先辞書指定ウインドウＷの表示処理、同カーソル操作ボタンをタッチ操作することで前記ジャンプ先辞書指定ウインドウＷ内のカーソルＣを移動表示させたジャンプ先辞書の指定処理、同「決定」ボタン１６Ｋをタッチ操作することで前記指定されたジャンプ検索文字と先頭一致する見出し語の前記指定されたジャンプ先辞書からの検索および見出し語一覧エリアｈ１への表示処理を行わせることができる。
【００７０】
しかもこの後、前記手書き入力部１６の「辞書→」ボタン１６Ｄ１または「←辞書」ボタン１６Ｄ２をタッチ操作することで、前記指定されたジャンプ先辞書の変更および当該変更されたジャンプ先辞書からの前記ジャンプ検索文字と先頭一致する見出し語の検索および見出し語一覧エリアｈ１への表示処理を行わせることができる。
【００７１】
これにより、特に手書きにより文字認識させて検索文字列を入力した場合に、その辞書検索中途でタッチペン１６Ｐを収納するなど、面倒で煩わしい作業を行ってキー入力操作への切り替えをする必要なく、手書き入力部１６に対するタッチペン１６Ｐによるタッチ操作だけで一連の辞書検索操作を容易に行うことができる。
【００７２】
なお、前記実施形態において説明した手書き入力機能付き電子辞書装置１０でのタッチ操作のみによる一連の辞書検索表示機能は、当該電子辞書装置１０の場合に限らず、主要な表示部（１７）の他に表示可能な手書き入力部（１６）を備えた携帯端末、パーソナルコンピュータなどの手書き入力機能を有する電子情報機器であれば、同様にして実施することができる。
【００７３】
なお、前記実施形態において記載した手書き入力機能付き電子辞書装置１０による各処理の手法、すなわち、図３〜図６のフローチャートに示す辞書検索処理（その１）〜（その４）などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、主要な表示部（１７）の他にエコーバックおよび予め設定されたデータ表示可能な手書き入力部（１６）を備え、各種の辞書データベース（２２ｃ）を記憶した種々のコンピュータ端末は、この外部記憶媒体２３に記憶されたプログラムを記憶媒体読取部２４によってメモリ２２に読み込み、この読み込んだプログラムによって動作が制御されることにより、前記実施形態において説明した手書き入力操作に伴う一連の辞書検索表示機能を実現し、前述した手法による同様の処理を実行することができる。
【００７４】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）３０から前記のプログラムデータを取り込み、前述した手書き入力操作に伴う一連の辞書検索表示機能を実現することもできる。
【００７５】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００７６】
【図１】本発明の実施形態に係る手書き入力機能付き電子辞書装置１０の外観構成を示す正面図。
【図２】前記手書き入力機能付き電子辞書装置１０の電子回路の構成を示すブロック図。
【図３】前記手書き入力機能付き電子辞書装置１０の辞書検索処理（その１）を示すフローチャート。
【図４】前記手書き入力機能付き電子辞書装置１０の辞書検索処理（その２）を示すフローチャート。
【図５】前記手書き入力機能付き電子辞書装置１０の辞書検索処理（その３）を示すフローチャート。
【図６】前記手書き入力機能付き電子辞書装置１０の辞書検索処理（その４）を示すフローチャート。
【図７】前記電子辞書装置１０の辞書検索処理（その１）に従ったユーザ操作に伴う辞書検索表示動作（その１）を示す図。
【図８】前記電子辞書装置１０の辞書検索処理（その２）に従ったユーザ操作に伴う辞書検索表示動作（その２）を示す図。
【図９】前記電子辞書装置１０の辞書検索処理（その３）に従ったユーザ操作に伴う辞書検索表示動作（その３）を示す図。
【図１０】前記電子辞書装置１０の辞書検索処理（その４）に従ったユーザ操作に伴う辞書検索表示動作（その４）を示す図。
【符号の説明】
【００７７】
１０  …電子辞書装置
１１  …本体ケース
１２  …蓋体ケース
１３  …ヒンジ部
１３Ｐ…ペン収納部
１４  …キー入力部
１５Ｌ，１５Ｒ…スピーカ
１６  …手書き入力部
１６Ｐ…タッチペン
１６Ｌ，１６Ｒ…手書き入力表示エリア
１６Ｃ…中央入力エリア
１６Ｒ１…右上入力エリア
１６Ｒ２…右下入力エリア
１６Ｌ１…左上入力エリア
１６Ｌ２…左下入力エリア
１６Ｔ…「訂正」ボタン
１６Ｎ…「認識」ボタン
１６ＮＫ…「認識／切替」ボタン
１６c0，１６f1〜１６f3，１６r1〜１６r3…カーソル操作ボタン
１６Ｂ…「戻り」ボタン
１６Ｋ…「決定」ボタン
１６Ｋ′…「決定＆訳表示」ボタン
１６Ｍ…「文字サイズ」ボタン
１６Ｅ…「レイアウト」ボタン
１６Ｊ…「ジャンプ／音声」ボタン
１６Ｘ…「単語帳登録」ボタン
１６Ｙ…「用例・解説」ボタン
１６Ｚ…「成句・複合語」ボタン
１６Ｓ…「音声」ボタン
１６Ｄ１…「辞書→」ボタン
１６Ｄ２…「←辞書」ボタン
１７  …表示部（画面）
２１  …ＣＰＵ
２２  …メモリ
２２ａ…辞書検索処理プログラム
２２ｂ…文字認識処理プログラム
２２ｃ…辞書データメモリ
２２ｄ…文字認識変換候補バッファ
２２ｅ…表示データメモリ（表示部／手書き入力部）
２２ｆ…入力文字メモリ
２２ｇ…検索文字列（キーワード）メモリ
２２ｈ…ワークエリア
２３  …外部記憶媒体
２４  …記憶媒体読取部
２５  …電送制御部（通信部）
３０  …Ｗｅｂサーバ
Ｎ    …通信ネットワーク（インターネット）
ａ１  …検索文字入力エリア
Ｇａ  …手書き文字入力用画面
Ｇ１  …検索文字入力画面
Ｇ２  …説明情報表示画面
ｈ１  …見出し語一覧エリア
ｈ２  …説明情報プレビューエリア
Ｗ  …ジャンプ先辞書指定ウインドウ
Ｃ  …カーソル
【図１】
2008293408.tif 000003
【図２】
2008293408.tif 000004
【図３】
2008293408.tif 000005
【図４】
2008293408.tif 000006
【図５】
2008293408.tif 000007
【図６】
2008293408.tif 000008
【図７】
2008293408.tif 000009
【図８】
2008293408.tif 000010
【図９】
2008293408.tif 000011
【図１０】
2008293408.tif 000012